(57)【要約】【課題】  浴室の照明の位置を工夫することで、浴室に複数のイスを設置したとしても視認性の低下を防止することができ、使用者の利便性の向上が可能となる。【解決手段】  本発明にかかる浴室１００の構成は、浴槽１４０と、浴槽１４０に併設された洗い場１３０と、照明２３８と、複数のイス２４０（２４０ａ、２４０ｂ）と、を備え、照明２３８は浴槽の長辺に対向する壁面１２２ｂの上方に備えられ、複数のイス２４０は浴槽１４０の長辺方向に並列に配置可能であることを特徴としている。【選択図】  図１
2010110454.tif 000002
【特許請求の範囲】
【請求項１】
浴槽と、
前記浴槽に併設された洗い場と、
照明と、
複数のイスと、
を備え、
前記照明は前記浴槽の長辺に対向する壁面の上方に備えられ、
前記複数のイスは前記浴槽の長辺方向に並列に配置可能であることを特徴とする浴室。
【請求項２】
前記複数のイスは大きいイスと小さいイスの２つで構成されており、前記大きいイスが前記小さいイスを収納する入れ子構造を有することを特徴とする請求項１に記載の浴室。
【請求項３】
当該浴室は、前記浴槽に隣接する壁面にシャワー付のカランをさらに備え、
前記照明は、前記浴槽の長辺に対向する壁面の中央よりも前記シャワー付のカランが設けられた壁面側に設けられていることを特徴とする請求項１または２に記載の浴室。
【請求項４】
前記複数のイスの少なくとも１つにシャワーフックを備えたことを特徴とする請求項３に記載の浴室。
【請求項５】
前記照明の下方に鏡を備えていることを特徴とする請求項３に記載の浴室。
【請求項６】
前記鏡は壁面に設けられたフックに掛脱自在に掛合されることを特徴とする請求項５に記載の浴室。
【発明の詳細な説明】
【技術分野】
【０００１】
本発明は、複数のイスを備える浴室に関する。
【背景技術】
【０００２】
従来、住宅用の浴室は、浴室の一方の壁面に沿って浴槽が配置され、残る面積が洗い場となった構成が極めて多く採用されている。設置面積が限られているため、浴室は浴槽と洗い場によって二分されており、いずれも長方形をなしている。浴室への出入口は洗い場に設けられており、ほとんどの場合は洗い場の奥まった壁面に鏡やカラン（水栓）が取り付けられている。
【０００３】
また浴室には照明が取り付けられるが、一般に照明は天井ではなく壁面に取り付けられる場合が多い。これは、１つには浴室は座って利用することが多いことから、低い位置において光量を得やすくしたいためである。もう１つには、鏡を見ながら作業をしたいために、真上からの光よりも、斜めからの光の方が利用しやすいからである。同様に、鏡を見ながらの作業がしやすいという理由から、照明は鏡の上方（鏡と同じ壁面）に設けられており、カランは鏡の下方に設けられている。
【０００４】
これらの理由から、長方形をなす洗い場の奥まった壁面（一般的には長方形の短辺に相当する壁面）に、鏡、照明、カラン、カウンタ（洗面器置き場）、シャワーフックなどが配置された構成が一般的となっている。
【０００５】
このような浴室は、その面積の関係上、多人数で利用するための充分な面積を確保することは難しい。しかし、親が子どもと入浴する場合や、介護者が要介護者を入浴させる場合等複数人数で上記浴室を利用したいという要請はあり、複数のイスを浴室に設ける技術が開示されている（例えば、特許文献１）。
【０００６】
特許文献１には、浴室の壁に取付け可能な大きい椅子と、当該大きい椅子に収納可能な小さい椅子を備えた浴室が記載されている。特許文献１では、大きい椅子をカウンタとして使用できるので使い勝手が向上するとしている。
【特許文献１】特開２００８−２９４３０号公報
【発明の開示】
【発明が解決しようとする課題】
【０００７】
上述したような従来の浴室に複数のイスを設置して、複数人数で浴室を利用する場合、以下のような問題が生じる。
【０００８】
図６は、２つのイスを配設した従来の浴室を説明するための説明図であり、図７は、従来の浴室における照明による照射範囲を説明するための説明図である。図６に示すように、従来の浴室１０は、浴槽２０と洗い場３０に分割されており、洗い場３０の奥まった壁１２（長方形の短辺に相当する壁）に鏡３２、カラン３４、シャワー３６、照明３８、２つのイス４０（図６中４０ａ、４０ｂで示す）を備えて構成される。図６に示す浴室１０を例えば親子で利用した場合、親がイス４０ａを使用し、子がイス４０ｂを使用することになる。ここで、洗い場３０が細長い長方形であることから、短辺に沿って２人が座ることは難しく、必然的に長辺に沿って並ぶことになる。すると通常は、図６に示すように親は子を洗うためにカラン３４やシャワー３６に近い位置に座わり、子は親の前に座ることになる。親が背中を壁１２に向けることにより、浴室１０全体を見渡せるように視野を広げることができる。また、カラン３４やシャワー３６から子を遠ざけることにより、子によるいたずらのおそれを回避することが可能となる。
【０００９】
この場合、鏡３２、カラン３４、シャワー３６および照明３８は奥まった壁１２に設置されているため、親は自身で照明３８からの光をさえぎることになり、子を洗うときに視認性が低下してしまっていた（図７参照）。
【００１０】
本発明は、このような課題に鑑み、浴室の照明の位置を工夫することで、浴室に複数のイスを設置したとしても視認性の低下を防止することができ、使用者の利便性の向上が可能な浴室を提供することを目的としている。
【課題を解決するための手段】
【００１１】
上記課題を解決するために、本発明にかかる浴室の代表的な構成は、浴槽と、浴槽に併設された洗い場と、照明と、複数のイスと、を備え、照明は浴槽の長辺に対向する壁の上方に備えられ、複数のイスは浴槽の長辺方向に並列に配置可能であることを特徴とする。
【００１２】
上記構成によれば、使用者がイスに座る場合に、どの使用者も自身の側面から照明の光を受けることになる。したがって、使用者が自身の背面で照明の光を遮る場合と比較して、遮光率を低下させることができ、視認性を向上させることが可能となる。
【００１３】
上記複数のイスは大きいイスと小さいイスの２つで構成されており、大きいイスが小さいイスを収納する入れ子構造を有してもよい。これにより、最も大きいイスの設置面積でかかる複数のイスを収納することができる。
【００１４】
当該浴室は、浴槽に隣接する壁面にシャワー付のカランをさらに備え、照明は、浴槽の長辺に対向する壁の中央よりもシャワー付のカランが設けられた壁側に設けられてもよい。
【００１５】
使用者が鏡を見ながら容易に湯水を使用できるように、照明は、シャワー付のカランが設置された壁と同一の壁に鏡を備えている場合が多い。したがって、上記照明を当該照明が設けられた壁の中央よりもシャワー付のカランが設けられた壁側の位置に配設する構成により、照明をカランに近づけるすなわち照明を鏡に近づけることができる。これにより、使用者が鏡を見ながら作業をする場合に、視認性を向上させることが可能となる。
【００１６】
複数のイスの少なくとも１つにシャワーフックを備えていてもよい。
【００１７】
これにより、シャワーヘッドをイスに固定することができる。したがって、使用者は常にシャワーを自身の手元に設置しておくことができ、例えば、浴室を親子で利用する際に、親は、両手で子を洗った後、振り返って自身の背後からシャワーを把持し、再度、子の方に向きなおすといった煩雑な動作を経ることなく、シャワーを利用することが可能となる。
【００１８】
上記照明の下方に鏡を備えていてもよい。
【００１９】
かかる構成により、使用者は、鏡に映った自身の姿を明瞭に視認することができ、作業性を向上させることが可能となる。
【００２０】
鏡は、壁面に設けられたフックに掛脱自在に掛合されていてもよい。そして壁面の水平方向または垂直方向にそれぞれ複数のフックを配列して設置しておくことにより、使用者が使いやすい位置に鏡を取り付けることができる。
【発明の効果】
【００２１】
本発明によれば、浴室の照明の位置を工夫することで、浴室に複数のイスを設置したとしても視認性の低下を防止することができ、使用者の利便性の向上が可能となる。
【発明を実施するための最良の形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１は、本実施形態にかかる浴室を示す図である。なお、本実施形態においては、近年家庭に最も普及しているユニットバスを浴室１００として例示するがこれに限定するものではない。また、本実施形態では、浴室１００を親子が利用する形態について説明する。
【００２４】
図１に示すように、ユニットバスである浴室１００は、壁（壁面）で区画された空間であり、壁面１２０（図１中１２０ａ、１２０ｂで示す）、１２２（図１中１２２ａ、１２２ｂで示す）と、洗い場１３０と、浴槽１４０と、を含んで構成される。なお、壁面１２０、１２２以外の壁、および浴室１００外に設けられた脱衣所と通じるドアは、理解を容易にするため図示を省略する。
【００２５】
壁面１２０は、浴槽１４０に対向する壁である。壁面１２２は、浴槽１４０に隣接し、水栓である後述するシャワー付のカラン２３４を備える壁である。なお、壁面１２０および１２２は、各々２つに分割されているように見えるが、これは壁面１２０および１２２が、共に２つのパネルから構成されているからである。本実施形態では、２つのパネルから構成される面を１つの壁として説明する。
【００２６】
洗い場１３０は、使用者（本実施形態では親子）が体や髪を洗う際に利用する。本実施形態において、洗い場１３０は、浴槽１４０に沿う辺を長辺とする略長方形である。ただし洗い場１３０が広い場合には、洗い場１３０は正方形に近くなる場合もある。浴槽１４０は、湯が貯留され、使用者が入浴するための槽である。
【００２７】
また、浴室１００は、鏡２３２と、カラン２３４と、シャワー２３６と、照明２３８と、２つのイス２４０（図１中２４０ａ、２４０ｂで示す）と、複数のフック２４２と、複数の棚２４４と、を備えて構成される。
【００２８】
鏡２３２は、使用者が自身の姿を視認するための部材である。カラン２３４およびシャワー２３６は、水栓であり、給湯装置（図示せず）から湯水が供給される。本実施形態において、鏡２３２と、カラン２３４と、シャワー２３６と、は、洗い場１３０の短辺に相当する壁面１２２ａに設けられている。
【００２９】
照明２３８は、浴室１００内の調光を行う機器である。本実施形態において、照明２３８は、浴槽１４０と当接した壁（図示せず）と対向する壁面１２０（本実施形態では、浴槽１４０の長辺に対向する壁、すなわち洗い場１３０の長辺に相当する壁）の上方であって、当該照明２３８が設けられた壁面１２０の中央（図１中Ｘで示す）よりもカラン２３４が設けられた壁面１２２ａ側の位置、すなわち壁面１２０ｂに設けられている。
【００３０】
図２は、本実施形態における照明による照射範囲を説明するための説明図である。本実施形態のように浴室１００を親子で利用する場合、洗い場１３０が細長い長方形であることから、短辺に沿って２人が座ることは難しく、必然的に浴槽１４０の長辺に沿って並ぶことになる。すると通常、親は子を洗うためにカラン２３４やシャワー２３６に近い位置に座わり、子は親の前に座ることになる。
【００３１】
図２に示すように、本実施形態にかかる照明２３８が、壁面１２０ｂに設けられる構成により、使用者（親子）がイス２４０に座る場合に、どの使用者も自身の側面から照明２３８の光を受けることになる。したがって、使用者が自身の背面で照明２３８の光を遮る場合と比較して、遮光率を低下させることができ、視認性を向上させることが可能となる。すなわち、親は自身の背面で照明２３８の光を遮り、子が見づらくなるのを防止することができる。
【００３２】
また、本実施形態のように使用者が鏡２３２を見ながら容易に湯水を使用できるように、カラン２３４が設置された壁面１２２と同一の壁面１２２に鏡２３２を備えている場合が多い。したがって、照明２３８を、照明２３８が設けられた壁面１２０ｂの中央よりもカラン２３４が設けられた壁面１２２側の位置に配設する構成により、照明２３８をカラン２３４に近づけるすなわち照明２３８を鏡２３２に近づけることができる。これにより、使用者が鏡２３２を見ながら作業をする場合に、視認性を向上させることが可能となる。
【００３３】
さらに、本実施形態において照明２３８は鏡２３２の上方に、すなわち鏡２３２は照明２３８の下方に設けられている。これにより、使用者は、鏡に映った自身の姿を明確に視認することができ、作業性を向上させることが可能となる。
【００３４】
２つのイス２４０は、洗い場１３０に移動可能に設置されている。図３は、本実施形態にかかるイスを説明するための説明図であり、特に図３（ａ）は、使用時を、図３（ｂ）は収納時を示している。図３に示すように、２つのイス２４０は、入れ子構造を有しており、本実施形態では、イス２４０ａはイス２４０ｂよりも大きく、イス２４０ｂはイス２４０ａの中に収納することができる。これにより、最も大きいイス２４０ａの設置面積でイス２４０ｂを収納することが可能となる。
【００３５】
また図３に示すように、本実施形態では、イス２４０ａおよびイス２４０ｂの側面の座面近傍にシャワー２３６を構成する軸部(シャワーヘッド)を略垂直方向に回動自在に固定可能なシャワーフック２４１（図３中２４１ａ、２４１ｂで示す）を備えている。これにより、シャワー２３６をイス２４０に固定することができる（図３（ｂ）参照）。したがって、使用者は常にシャワー２３６を自身の手元に設置しておくことができ、例えば、浴室１００を親子で利用する際に、親は、両手で子を洗った後、振り返って自身の背後に設置された壁付けシャワーフックに掛止されたシャワー２３６を把持し、再度、子の方に向きなおすといった煩雑な動作を経ることなく、シャワー２３６を利用することが可能となる。
【００３６】
またイス２４０の側面の座面近傍にシャワーフック２４１を備える構成により、当該イス２４０をカウンタとして利用し、かかるイス２４０に洗面器（図示せず）を設置した場合に、使用者がシャワー２３６を把持せずとも直接洗面器に湯水を供給することができ、シャワー２３６にカランの役割を担わせることが可能となる。
【００３７】
ここでは、特に２つのイス２４０のうち最大のイス２４０ａに設けられたシャワーフック２４１ａは、短辺の側面であって座面近傍に設置されている。これにより、当該最大のイス２４０ａをカウンタとして利用する場合に、使用者の右手側もしくは左手側にシャワー２３６を固定することができるため、使い勝手を向上させることが可能となる。
【００３８】
なお、図３においてはイス２４０ａ、２４０ｂの両方にシャワーフック２４１をもうけて示しているが、いずれか一方に設けることであってもよい。
【００３９】
また本実施形態のイス２４０のうち、最大のイス２４０ａの上面には、洗面器（図示せず）を設置可能な凹部２４０ｃが設けられている。これにより、子の成長によって親子が別々に入浴する場合に、使用者がイス２４０ｂに座り、イス２４０ａをカウンタとして利用することができる。したがって、使用者の利用形態に応じて、浴室１００の形態を適応的に変化させることができ、利便性を向上させることが可能となる。
【００４０】
フック２４２は、浴室１００内の壁に所定間隔ごとに複数設置される。これにより、所定間隔ごとに複数設置されたフック２４２のうち、使用者が所望する位置のフック２４２の軸部２５２に、所望する部材、例えば鏡２３２や棚２４４等を吊り下げ、部材を壁に掛脱自在に設置することが可能となる。
【００４１】
フック２４２は、図１に示すように、洗い場１３０の壁面１２０、１２２のうち、浴槽に隣接する壁面１２２ａと、これに隣接し且つ直交する壁面１２０ｂに亘って設置されている。すなわち、洗い場１３０の隅部において直交する２枚の壁面１２０ｂ、１２２ａに亘って設置されており、両壁面間で鏡２３２や棚２４４が掛脱自在となっている。したがって例えば、使用者がカラン２３４と向き合うときには鏡２３２を壁面１２２ａのフック２４２に取り付けることができ、浴室に２人で入るときや照明２３８の明かりが正面に欲しいときには鏡２３２を壁面１２０ｂのフック２４２に取り付けることができる。このように、場面に応じて浴室の設備の位置を変更可能とすることにより、快適に使用することができる。
【００４２】
フック２４２は、後述するように大径の頭部２５０と小径の軸部２５２を有する構成となっている。フック２４２が頭部２５０を有することで、吊り下げられた部材はフック２４２の頭部２５０により掛止されるため、部材のフック２４２からの脱落を防止することができる。本実施形態において複数のフック２４２は、壁面１２０ｂ、１２２ａおよび１２２ｂに設けられている。
【００４３】
以下、フック２４２の詳細について説明する。図４は、フック２４２の詳細を示す図である。図４（ａ）はフック２４２の分解図であり、図４（ｂ）はフック２４２の斜視図であり、図４（ｃ）はフック２４２不使用時の側面図であり、図４（ｄ）はフック２４２使用時の側面図である。
【００４４】
図４（ａ）に示すように、フック２４２は、頭部２５０と、軸部２５２と、螺子２５４と、リング２５６と、ワッシャ２５８との、５つの部材から構成される。フック２４２を壁面１２０、１２２に設置する際には、まず軸部２５２とリング２５６とワッシャ２５８を嵌合する。そして、軸部２５２の穴に螺子２５４を装嵌し、ワッシャ２５８を壁面１２０、１２２に当接して螺子止めをすることにより、軸部２５２とリング２５６とワッシャ２５８が壁に螺設される。螺設後に、頭部２５０をリング２５６に嵌合することにより、図４（ｂ）に示す状態となり、フック２４２が壁面１２０、１２２に設置される。
【００４５】
フック２４２の壁面１２０、１２２への設置後、かかるフック２４２は、使用されない場合には図４（ｃ）に示す状態となる。図４（ｃ）に示すように、フック２４２は、軸部２５２およびリング２５６が頭部２５０に収納され、頭部２５０とワッシャ２５８が接した状態となっている。これにより、フック２４２内部はほぼ密閉された状態となるため、フック２４２内部への水等の浸入を防ぐことができる。故に、フック２４２内部でのカビ等細菌類の繁殖を防止し、衛生状態を良好に保つことが可能となる。
【００４６】
また、図４（ｃ）のように不使用時のフック２４２（軸部２５２収納時）は、壁面１２０、１２２上に頭部の厚み分だけ突出した状態となる（厳密には、ワッシャ２５８の厚みも含まれる）。故に、フック２４２により壁上には微小な凸部が形成されるが、凹部が形成されることはない。したがって、フック２４２が壁面１２０、１２２の清掃を妨げることがなく、且つ浴室１００の美観を損ねることがない。
【００４７】
更に、図４（ｃ）に示すようにフックの頭部２５０が切欠２５０ａを有することで、切欠２５０ａの部分に指を引っ掛け、頭部２５０を白抜き矢印方向に、すなわち壁面１２０、１２２から手前に引き出すことができる。このようにして頭部２５０を引き出すと、フック２４２は図４（ｄ）に示す状態となり、軸部２５２が露出する。これにより、フック２４２に部材を吊り下げ可能となる。
【００４８】
そして、例えば部材を吊り下げる場所を変更する等、引き出したフック２４２を使用しなくなる場合には、引き出した頭部２５０を壁面１２０、１２２に向かって押し込むことにより、軸部２５２は頭部２５０に収納され、図（ｃ）に示す状態に戻る。なお、本実施形態においては、軸部２５２は頭部２５０に収納されているが、これに限定するものではなく、軸部２５２を壁面１２０、１２２内に収納するよう構成してもよい。
【００４９】
したがって、本実施形態にかかるフック２４２によれば、上述したように、フック２４２の頭部２５０を壁面１２０、１２２から手前に引き出すという操作でフック２４２を使用することが可能となり、フック２４２の頭部２５０を壁面１２０、１２２に向かって押し込むという操作でフック２４２の軸部２５２を頭部２５０に収納可能となる。したがって、いずれにおいても簡単な操作でフック２４２の状態を変更することができる。
【００５０】
図５は、フック２４２の軸部２５２の他の収納例を示す図である。図５（ａ）は、他の収納例におけるフック２４２の不使用時の側面図であり、図５（ｂ）は、他の収納例におけるフック２４２の使用時の側面図である。なお図５中、壁面１２０、１２２をハッチングで示す。
【００５１】
本実施形態にかかるフック２４２は軸部２５２がフック２４２の頭部２５０に収納されるが、図５（ａ）に示すように、他の収納例では、壁面１２０、１２２に収納部２６０を備え、軸部２５２は収納部２６０に収納されることにより、壁面１２０、１２２に収納される。そして、フック２４２使用時には、本実施形態と同様に切欠２５０ａの部分に指を引っ掛け、頭部２５０を白抜き矢印方向に引っ張ることにより、図５（ｂ）に示すように頭部２５０は壁面１２０、１２２から手前に引き出され、軸部２５２が露出する。これにより、フック２４２に部材を吊り下げ可能となる。
【００５２】
フック２４２は、壁面１２０、１２２の水平方向に複数設置されるとよい。これにより、壁面１２０、１２２に吊り下げる部材の位置を水平方向に自在に変更し、使用者が所望する位置に部材を設置することができ、浴室１００での利便性が向上する。また、壁面１２０、１２２の水平方向に複数の部材を設置したり、吊り下げに要するフック２４２を水平方向に２つ以上必要とする部材を壁面１２０、１２２に設置したりすることが可能となる。
【００５３】
またフック２４２は、壁面１２０、１２２の垂直方向に複数設置されるとよい。これにより、壁面１２０、１２２に吊り下げる部材の位置を垂直方向に自在に変更し、使用者が所望する位置に部材を設置することができ、浴室１００での利便性が向上する。また、壁面１２０、１２２の垂直方向に複数の部材を設置することができ、吊り下げに要するフック２４２を垂直方向に２つ以上必要とする部材を壁面１２０、１２２に設置したりすることが可能となる。
【００５４】
更に、上述したようにフック２４２を、壁面１２０、１２２の水平方向に複数設置し、且つ垂直方向に複数設置するとよい。これにより、フック２４２は壁面１２０、１２２に略碁盤目状に設置されることとなるため、壁面１２０、１２２の水平方向且つ垂直方向の所望の位置に部材を設置することが可能となり、利便性が格段に向上する。
【００５５】
フック２４２を備える壁面１２０、１２２は、カラン１３０を備える壁面１２２ａであるとよい。これにより、カラン２３４を備える壁面１２２ａにフック２４２が設置されるため、フック２４２に部材を吊り下げ、その壁面１２２ａに部材を設置することができる。
【００５６】
またフック２４２を備える壁面１２０、１２２は、浴槽１４０に対向する壁面１２０であるとよい。これにより、浴槽１４０に対向する壁面１２０にフック２４２が設置されるため、フック２４２に部材を吊り下げ、その壁面１２０に部材を設置することができる。
【００５７】
棚２４４は、シャンプーやリンス等の浴室で用いられる物品を収納するための部材である。棚２４４は、壁面１２０、１２２に設置されたフック２４２に吊り下げられることにより、かかる壁面１２０、１２２に設置される。
【００５８】
以上説明した如く、本実施形態にかかる浴室１００は、照明２３８の位置を工夫することで、浴室１００に複数のイス２４０を設置したとしても視認性の低下を防止することができ、使用者の利便性の向上が可能となる。
【００５９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６０】
本発明は、複数のイスを備える浴室に利用することができる。
【図面の簡単な説明】
【００６１】
【図１】実施形態にかかる浴室を示す図である。
【図２】実施形態における照明による照射範囲を説明するための説明図である。
【図３】実施形態にかかるイスを説明するための説明図である。
【図４】フックの詳細を示す図である。
【図５】フックの軸部の他の収納例を示す図である。
【図６】２つのイスを配設した従来の浴室を説明するための説明図である。
【図７】従来の浴室における照明による照射範囲を説明するための説明図である。
【符号の説明】
【００６２】
１００  …浴室
１２０、１２２  …壁面
１３０  …洗い場
１４０  …浴槽
２３２  …鏡
２３４  …カラン
２３６  …シャワー
２３８  …照明
２４０  …イス
２４１  …シャワーフック
２４２  …フック
２４４  …棚
【図１】
2010110454.tif 000003
【図２】
2010110454.tif 000004
【図３】
2010110454.tif 000005
【図４】
2010110454.tif 000006
【図５】
2010110454.tif 000007
【図６】
2010110454.tif 000008
【図７】
2010110454.tif 000009